(57)【要約】【課題】不正行為に対し、基板ケースを開封した場合であっても直ちに電子部品の実装面にアクセスできないようにした遊技台を提供することにある。【解決手段】遊技に関する制御を行う制御回路を搭載した回路基板と、前記回路基板の電子部品が載置された実装面から覆う基板収容上ケースと、該回路基板の前記実装面の裏の裏面側から支持する基板収容下ケースと、から成る基板収容ケースと、を備える遊技台であって、前記基板収容ケースには、前記回路基板の前記裏面側から前記基板収容上ケースに配置固定するための基板側係止部材と、該基板側係止部材を覆う基板収容上ケース側係止部材と、をさらに備え、前記回路基板は、前記基板側係止部材および前記基板収容上ケース側係止部材のそれぞれを嵌合させて、前記基板収容上ケースに配置固定されるように係止され、該回路基板の配置固定を解除する場合には、前記基板収容上ケース側係止部材を破断させることにより、該基板収容上ケースから分離可能とするよう構成されていることを特徴とする。【選択図】図３
2011083452.tif 000002
【特許請求の範囲】
【請求項１】
遊技に関する制御を行う制御回路を搭載した回路基板と、
前記回路基板の電子部品が載置された実装面から覆う基板収容上ケースと、該回路基板の前記実装面の裏の裏面側から支持する基板収容下ケースと、から成る基板収容ケースと、
を備える遊技台であって、
前記基板収容ケースには、
前記回路基板の前記裏面側から前記基板収容上ケースに配置固定するための基板側係止部材と、該基板側係止部材を覆う基板収容上ケース側係止部材と、をさらに備え、
前記回路基板は、
前記基板側係止部材および前記基板収容上ケース側係止部材のそれぞれを嵌合させて、前記基板収容上ケースに配置固定されるように係止され、該回路基板の配置固定を解除する場合には、前記基板収容上ケース側係止部材を破断させることにより、該基板収容上ケースから分離可能とするよう構成されていることを特徴とする遊技台。
【請求項２】
前記回路基板および前記基板収容上ケースの双方には、
前記基板側係止部材および前記基板収容上ケース側係止部材を挿入し、回転方向を規制する規制形状が施されていることを特徴とする請求項１に記載の遊技台。
【請求項３】
前記基板収容上ケース側係止部材と前記基板側係止部材とは、
互いに同一の形状で構成され、それぞれの係止片どうしが干渉しないで嵌合する形状で構成されていることを特徴とする請求項１または２に記載の遊技台。
【請求項４】
前記回路基板には、
前記基板側係止部材および前記基板収容上ケース側係止部材を挿入する挿入穴が形成され、
前記基板収容上ケースには、
少なくとも、前記基板側係止部材および前記基板収容上ケース側係止部材を挿入する挿入穴と、一段盛り上がった差込段部と、が形成されていることを特徴とする請求項１乃至３のうちのいずれか１項に記載の遊技台。
【発明の詳細な説明】
【技術分野】
【０００１】
本発明は、スロットマシン（パチスロ機）に代表される遊技台に関する。
【背景技術】
【０００２】
従来、基板ベースに主制御基板を固定し、該主制御基板を該基板ベースと基板カバーとで覆って収容する遊技機の基板ケースが開示されている（たとえば特許文献１参照）。
【先行技術文献】
【特許文献】
【０００３】
【特許文献１】特開２００１−２５２４４８号公報
【発明の概要】
【発明が解決しようとする課題】
【０００４】
上記特許文献１に記載の遊技機の基板ケースには、ケース開封のための蓋部材の取り外しを不可能にする封止部材が備えられている。特許文献１に記載の遊技機の基板ケースでは、このような封止部材を用いることにより、正規な基板から不正な基板への交換や不正な電子部品の取り付けなどを未然に防ぐ狙いがある。
【０００５】
ところが、近年の不正行為は高度で精巧な不正を施す事案が増えてきている。たとえば、開封の痕跡が目立たないように封止部に対してレーザーカッター等、切断面を目立たなくさせ、目視では確認できない事案も目立つようになっている。また、営業中に基板ケースを大胆にも開封し、不正な電子部品を組み付けるといった不正事案もあり、その不正行為は短時間ですばやく行われてしまう。
【０００６】
このように不正な手口が巧妙で短時間で行われてしまう不正行為に対し、痕跡が目立つような封止部材以外にも早期発見の工夫が切望されていた。
【０００７】
本発明の目的は、不正行為に対し、基板ケースを開封した場合であっても直ちに電子部品の実装面にアクセスできないようにした遊技台を提供することにある。
【課題を解決するための手段】
【０００８】
本発明は上記の目的を達成するために、遊技に関する制御を行う制御回路を搭載した回路基板と、前記回路基板の電子部品が載置された実装面から覆う基板収容上ケースと、該回路基板の前記実装面の裏の裏面側から支持する基板収容下ケースと、から成る基板収容ケースと、を備える遊技台であって、前記基板収容ケースには、前記回路基板の前記裏面側から前記基板収容上ケースに配置固定するための基板側係止部材と、該基板側係止部材を覆う基板収容上ケース側係止部材と、をさらに備え、前記回路基板は、前記基板側係止部材および前記基板収容上ケース側係止部材のそれぞれを嵌合させて、前記基板収容上ケースに配置固定されるように係止され、該回路基板の配置固定を解除する場合には、前記基板収容上ケース側係止部材を破断させることにより、該基板収容上ケースから分離可能とするよう構成されていることを特徴とする。
【発明の効果】
【０００９】
本発明によれば、不正行為に対し、基板ケースを開封した場合であっても直ちに電子部品の実装面にアクセスできないようにした遊技台を提供することができる。
【図面の簡単な説明】
【００１０】
【図１】スロットマシン１００の外観斜視図を示したものである。
【図２】前面扉１０２を開けた状態のスロットマシン１００を示す正面図である。
【図３】主制御基板収容ケース２１０周囲の構成を示した分解斜視図である。
【図４】主制御基板２１１と基板収容上ケース２１３とをかしめる構成を拡大して示す斜視図であり、（ａ）はかしめ係止部２２３の近傍を拡大して、基板収容上ケース２１３の側から見た図であり、（ｂ）は（ａ）で破線の丸で囲んだ部分Ａをさらに拡大して示す図であり、（ｃ）はかしめピン２２１を示す図であり、（ｄ）はかしめ蓋２２２を示す図である。
【図５】主制御基板２１１と基板収容上ケース２１３とをかしめる構成を拡大して示す斜視図であり、（ａ）はかしめ係止部２２３の近傍を拡大して、主制御基板２１１の側から見た図であり、（ｂ）は（ａ）で破線の丸で囲んだ部分Ｂをさらに拡大して示す図である。
【図６】（ａ）は、主制御基板２１１と基板収容上ケース２１３とをかしめた状態を示す斜視図であり、（ｂ）は、かしめた状態でのかしめピン２２１およびかしめ蓋２２２のみを示す斜視図である。
【図７】（ａ）は、主制御基板２１１と基板収容上ケース２１３とをかしめた状態を、主制御基板２１１の側から見た背面図であり、（ｂ）は（ａ）のＣ−Ｃ断面図であり、（ｃ）は（ａ）のＤ−Ｄ断面図である。
【図８】基板収容上ケース２１３と基板収容下ケース２１２とをかしめた状態を示す図であり、（ａ）は基板収容上ケース２１３の側から見た正面図であり、（ｂ）は（ａ）で丸で囲んだ部分Ｅを拡大して示す断面図である。
【図９】（ａ）は、主制御基板収容ケース２１０と取付ベース２３０とを組み付けた後、カバー部材２５０を組み付ける直前の状態を示す斜視図であり、（ｂ）は、カバー部材２５０と主制御基板収容ケース２１０と取付ベース２３０とを組み付けた後、カバー部材２５０と取付ベース２３０とをかしめた状態を示す斜視図である。
【図１０】基板収容上ケース２１３と基板収容下ケース２１２とのカシメを解除するための破断を説明する図であり、（ａ）は、基板収容上ケース２１３の側から見た正面図において、かしめ解除のための破断箇所を示す図であり、（ｂ）は、カシメを解除して基板収容上ケース２１３と基板収容下ケース２１２とを取り外した状態を示す斜視図である。
【図１１】主制御基板２１１と基板収容上ケース２１３とのカシメを解除するための破断を説明する斜視図であり、（ａ）は、かしめ蓋２２２の破断箇所を説明する図であり、（ｂ）は、かしめ蓋２２２の頭部２２２ｄを破断して脚部２２２ｂを取り外した状態を示す図であり、（ｃ）は、さらに脚部２２２ａを取り外した状態を示す図である。
【図１２】制御部の回路ブロック図を示したものである。
【図１３】主制御部メイン処理の流れを示すフローチャートである。
【図１４】（ａ）は、第１副制御部４００のＣＰＵ４０４が実行するメイン処理のフローチャートであり、（ｂ）は、第１副制御部４００のコマンド受信割込処理のフローチャートであり、（ｃ）は、第１副制御部４００のタイマ割込処理のフローチャートである。
【図１５】実施例２において、主制御基板２１１と基板収容上ケース１２１３とをかしめる構成を拡大して示す斜視図であり、（ａ）はかしめ係止部１２２３の近傍を拡大して、基板収容上ケース１２１３の側から見た図であり、（ｂ）は（ａ）で破線の丸で囲んだ部分Ｆをさらに拡大して示す図であり、（ｃ）はかしめピン１２２１を示す図であり、（ｄ）はかしめ蓋１２２２を示す図である。
【図１６】実施例２において、主制御基板２１１と基板収容上ケース１２１３とをかしめる構成を拡大して示す斜視図であり、（ａ）はかしめ係止部１２２３の近傍を拡大して、主制御基板２１１の側から見た図であり、（ｂ）は（ａ）で破線の丸で囲んだ部分Ｇをさらに拡大して示す図である。
【図１７】（ａ）は、主制御基板２１１と基板収容上ケース１２１３とをかしめた状態を示す斜視図であり、（ｂ）は、かしめた状態でのかしめピン１２２１およびかしめ蓋１２２２のみを示す斜視図である。
【図１８】（ａ）は、主制御基板２１１と基板収容上ケース１２１３とをかしめた状態を、主制御基板２１１の側から見た背面図であり、（ｂ）は（ａ）のＨ−Ｈ断面図であり、（ｃ）は（ａ）のＩ−Ｉ断面図である。
【図１９】主制御基板２１１と基板収容上ケース１２１３とのカシメを解除するための破断を説明する斜視図であり、（ａ）は、かしめピン１２２１の破断箇所を説明する図であり、（ｂ）は、かしめピン１２２１の頭部１２２１ｄを破断して脚部１２２１ｂを取り外した状態を示す図であり、（ｃ）は、さらに脚部１２２１ａを取り外した状態を示す図である。
【発明を実施するための形態】
【００１１】
以下、図面を用いて、本発明の実施例に係るスロットマシン（遊技台）について詳細に説明する。
【００１２】
＜全体構成＞
まず、図１を用いて、本発明に係るスロットマシン１００の全体構成について説明する。なお、同図はスロットマシン１００の外観斜視図を示したものである。
【００１３】
図１に示すスロットマシン１００は、本体１０１と、本体１０１の正面に取付けられ、本体１０１に対して開閉可能な前面扉１０２と、を備える。本体１０１の中央内部には、外周面に複数種類の図柄が配置されたリールが３個（左リール１１０、中リール１１１、右リール１１２）収容され、スロットマシン１００の内部で回転できるように構成されている。これらのリール１１０乃至１１２はステッピングモータ等の駆動装置（図示省略）により回転駆動される。
【００１４】
本実施形態において、各図柄は帯状部材に等間隔で適当数印刷され、この帯状部材が所定の円形筒状の枠材に貼り付けられて各リール１１０乃至１１２が構成されている。リール１１０乃至１１２上の図柄は、遊技者から見ると、図柄表示窓１１３から縦方向に概ね３つ表示され、合計９つの図柄が見えるようになっている。そして、各リール１１０乃至１１２を回転させることにより、遊技者から見える図柄の組み合せが変動することとなる。つまり、各リール１１０乃至１１２は複数種類の図柄の組合せを変動可能に表示する表示装置として機能する。なお、このような表示装置としてはリール以外にも液晶表示装置等の電子画像表示装置も採用できる。また、本実施形態では、３個のリールをスロットマシン１００の中央内部に備えているが、リールの数やリールの設置位置はこれに限定されるものではない。
【００１５】
各々のリール１１０乃至１１２の背面には、図柄表示窓１１３に表示される個々の図柄を照明するためのバックライト（図示省略）が配置されている。バックライトは、各々の図柄ごとに遮蔽されて個々の図柄を均等に照射できるようにすることが望ましい。なお、スロットマシン１００内部において各々のリール１１０乃至１１２の近傍には、投光部および受光部から成る光学式センサ（図示省略）が設けられており、この光学式センサの投光部と受光部との間をリールに設けられた一定の長さの遮光片が通過するように構成されている。このセンサの検出結果に基づいてリール上の図柄の回転方向の位置を判断し、目的とする図柄が入賞ライン上に表示されるようにリール１１０乃至１１２を停止させる。
【００１６】
入賞ライン表示ランプ１２０は、有効となる入賞ライン１１４を示すランプである。有効となる入賞ラインは、遊技媒体としてベットされたメダルの数によって予め定まっている。入賞ライン１１４は５ラインあり、たとえば、メダルが１枚ベットされた場合、中段の水平入賞ラインが有効となり、メダルが２枚ベットされた場合、上段水平入賞ラインと下段水平入賞ラインが追加された３本が有効となり、メダルが３枚ベットされた場合、右下り入賞ラインと右上り入賞ラインが追加された５ラインが入賞ラインとして有効になる。なお、入賞ライン１１４の数については５ラインに限定されるものではなく、また、たとえば、メダルが１枚ベットされた場合に、中段の水平入賞ライン、上段水平入賞ライン、下段水平入賞ライン、右下り入賞ラインおよび右上り入賞ラインの５ラインを入賞ラインとして有効としてもよい。
【００１７】
告知ランプ１２３は、たとえば、後述する内部抽選において特定の入賞役（具体的には、ボーナス）に内部当選していること、または、ボーナス遊技中であることを遊技者に知らせるランプである。遊技メダル投入可能ランプ１２４は、遊技者が遊技メダルを投入可能であることを知らせるためのランプである。再遊技ランプ１２２は、前回の遊技において入賞役の一つである再遊技に入賞した場合に、今回の遊技が再遊技可能であること（メダルの投入が不要であること）を遊技者に知らせるランプである。リールパネルランプ１２８は演出用のランプである。
【００１８】
ベットボタン１３０乃至１３２は、スロットマシン１００に電子的に貯留されているメダル（クレジットという）を所定の枚数分投入するためのボタンである。本実施形態においては、ベットボタン１３０が押下される毎に１枚ずつ最大３枚まで投入され、ベットボタン１３１が押下されると２枚投入され、ベットボタン１３２が押下されると３枚投入されるようになっている。以下、ベットボタン１３２はＭＡＸベットボタンとも言う。なお、遊技メダル投入ランプ１２９は、投入されたメダル数に応じた数のランプを点灯させ、規定枚数のメダルの投入があった場合、遊技の開始操作が可能な状態であることを知らせる遊技開始ランプ１２１が点灯する。
【００１９】
メダル投入口１４１は、遊技を開始するに当たって遊技者がメダルを投入するための投入口である。すなわち、メダルの投入は、ベットボタン１３０乃至１３２により電子的に投入することもできるし、メダル投入口１４１から実際のメダルを投入（投入操作）することもでき、投入とは両者を含む意味である。
【００２０】
貯留枚数表示器１２５は、スロットマシン１００に電子的に貯留されているメダルの枚数を表示するための表示器である。遊技情報表示器１２６は、各種の内部情報（たとえば、ボーナス遊技中のメダル払出枚数）を数値で表示するための表示器である。払出枚数表示器１２７は、何らかの入賞役に入賞した結果、遊技者に払出されるメダルの枚数を表示するための表示器である。貯留枚数表示器１２５、遊技情報表示器１２６、および、払出枚数表示器１２７は、７セグメント（ＳＥＧ）表示器とした。
【００２１】
スタートレバー１３５は、リール１１０乃至１１２の回転を開始させるためのレバー型のスイッチである。即ち、メダル投入口１４１に所望するメダル枚数を投入するか、ベットボタン１３０乃至１３２を操作して、スタートレバー１３５を操作すると、リール１１０乃至１１２が回転を開始することとなる。スタートレバー１３５に対する操作を遊技の開始操作と言う。
【００２２】
ストップボタンユニット１３６には、ストップボタン１３７乃至１３９が設けられている。ストップボタン１３７乃至１３９は、スタートレバー１３５の操作によって回転を開始したリール１１０乃至１１２を個別に停止させるためのボタン型のスイッチであり、各リール１１０乃至１１２に対応づけられている。以下、ストップボタン１３７乃至１３９に対する操作を停止操作と言い、最初の停止操作を第１停止操作、次の停止操作を第２停止操作、最後の停止操作を第３停止操作という。なお、各ストップボタン１３７乃至１３９の内部に発光体を設けてもよく、ストップボタン１３７乃至１３９の操作が可能である場合、該発光体を点灯させて遊技者に知らせることもできる。
【００２３】
メダル返却ボタン１３３は、投入されたメダルが詰まった場合に押下してメダルを取り除くためのボタンである。精算ボタン１３４は、スロットマシン１００に電子的に貯留されたメダル、ベットされたメダルを精算し、メダル払出口１５５から排出するためのボタンである。
【００２４】
ドアキー孔１４０は、スロットマシン１００の前面扉１０２のロックを解除するためのキーを挿入する孔である。
【００２５】
ストップボタンユニット１３６の下部には、機種名の表示と各種証紙の貼付とを行うタイトルパネル１６２が設けられている。タイトルパネル１６２の下部には、メダル払出口１５５、メダルの受け皿１６１が設けられている。
【００２６】
前面扉１０２の左右各部に設けられたサイドランプ１４４は遊技を盛り上げるための装飾用のランプである。
【００２７】
前面扉１０２の音孔１４３ａおよび１４３ｂはスロットマシン１００内部に設けられているスピーカ（図示省略）の音を外部に出力するための孔である。前面扉１０２の上部には演出装置１６０が配設されており、演出装置１６０の上部には音孔１４３ａが設けられ、メダル払出口１５５の横には音孔１４３ｂが設けられている。
【００２８】
この演出装置１６０は、水平方向に開閉自在な２枚の右シャッタ１６３ａ、左シャッタ１６３ｂからなるシャッタ（遮蔽装置）１６３と、このシャッタ１６３の奥側に配設された液晶表示装置（演出画像表示装置）１５７を備えており、右シャッタ１６３ａ、左シャッタ１６３ｂが液晶表示装置１５７の手前で水平方向外側に開くと液晶表示装置１５７の表示画面がスロットマシン１００正面（遊技者側）に出現する構造となっている。なお、液晶表示装置でなくとも、種々の演出画像や種々の遊技情報を表示可能に構成されていればよく、たとえば、複数セグメントディスプレイ（７セグディスプレイ）、ドットマトリクスディスプレイ、有機ＥＬディスプレイ、プラズマディスプレイ、リール（ドラム）、或いは、プロジェクタとスクリーンとからなる表示装置等でもよい。また、表示画面は、方形をなし、その全体を遊技者が視認可能に構成している。本実施形態の場合、表示画面は長方形であるが、正方形でもよい。また、表示画面の周縁に不図示の装飾物を設けて、表示画面の周縁の一部が該装飾物に隠れる結果、表示画面が異形に見えるようにすることもできる。表示画面は本実施形態の場合、平坦面であるが、曲面をなしていてもよい。
【００２９】
図２は、前面扉１０２を開けた状態のスロットマシン１００を示す正面図である。本体１０１は、上面板１２６１、左側の側面板１２６０、右側の側面板１２６０、下面板２６４および背面板２４２で囲われ、前面に開口する箱体である。
【００３０】
本体１０１の内部には、背面板２４２の上部に設けた通風口２４９と重ならない位置に、内部に主制御基板２１１（後述する）を収容した主制御基板収容ケース２１０が配置され、この主制御基板収容ケース２１０の下方に、３つのリール１１０乃至１１２が配置されている。
【００３１】
主制御基板収容ケース２１０及びリール１１０乃至１１２の側方、即ち向って左側の側面板１２６０には、内部に副制御基板（図示省略）を収容した副制御基板収容ケース２２０が配設してある。また、向かって右側の側面板１２６０には、主制御基板に接続されて、スロットマシン１００の情報を外部装置に出力する外部集中端子板２４８が取り付けられている。
【００３２】
そして、下面板２６４には、メダル払出装置１８０（バケットに溜まったメダルを払出す装置）が配設され、このメダル払出装置１８０の上方であってリール１１０乃至１１２の下方には、電源基板（図示省略）を有する電源装置１２５２が配設され、電源装置１２５２正面には電源スイッチ２４４を配設している。
【００３３】
電源装置１２５２は、スロットマシン１００に外部から供給される交流電源を直流化し、所定の電圧に変換して後述の主制御部３００、後述の第１副制御部４００、後述の第２副制御部５００等の各制御部、各装置に供給する。さらには、外部からの電源が断たれた後も所定の部品（たとえば主制御部３００のＲＡＭ３０８等）に所定の期間（たとえば１０日間）電源を供給するための蓄電回路（たとえばコンデンサ）（図示省略）を備えている。
【００３４】
メダル払出装置１８０の右側には、メダル補助収容庫２４０が配設してあり、この背後にはオーバーフロー端子（図示省略）が配設されている。電源装置１２５２には、電源コード２６５を接続する電源コード接続部が設けられ、ここに接続された電源コード２６５が、本体１０１の背面板２４２に開設した電源コード用穴１２６２を通して外部に延出している。
【００３５】
前面扉１０２は、本体１０１の左側の側面板１２６０にヒンジ装置２７６を介して蝶着され、図柄表示窓１１３の上部には、演出装置１６０、および、この演出装置１６０を制御する演出制御基板（図示省略）、音孔１４３ａに対応する位置に上部スピーカ２７２、を設けている。
【００３６】
図柄表示窓１１３の下部には、投入されたメダルを選別するためのメダルセレクタ１７０、このメダルセレクタ１７０が不正なメダル等をメダル受皿１６１に落下させる際にメダルが通過する通路２６６等を設けている。さらに、音孔１４３ｂに対応する位置には低音スピーカ２７７を設けている。
【００３７】
本発明は、遊技台（スロットマシン１００）において、遊技の進行を制御する主制御部３００を搭載した主制御基板２１１を収容する主制御基板収容ケース２１０の構成に特徴を有する。
【００３８】
＜＜実施例１＞＞
次に、図３を用いて、実施例１における、主制御基板収容ケース２１０周囲の構成について説明する。なお、図３は、主制御基板収容ケース２１０周囲の構成を示した分解斜視図である。
【００３９】
＜主制御基板収容ケース＞
まず、主制御基板収容ケース２１０について説明する。主制御基板収容ケース２１０は、底面が略矩形の角皿状である基板収容下ケース２１２（ケース体ともいう）および基板収容上ケース２１３（ケース体ともいう）を組み合わせて構成される箱体となっている。
【００４０】
この主制御基板収容ケース２１０の内部の空間には、詳しくは後述する、遊技に関するプログラムや各種データ等を記憶したＲＯＭ、ＣＰＵ、ＲＡＭ等の電子部品２１１ａ（遊技制御用ＩＣ）が実装され、主制御部３００を構成する主制御基板２１１が収容される。基板収容下ケース２１２および基板収容上ケース２１３は、それぞれ透明または半透明の透光性の樹脂から構成されており、主制御基板収容ケース２１０内部に収容された主制御基板を外部から視認することが可能となっている。
【００４１】
詳しくは後述するが、主制御基板２１１は、電子部品２１１ａの実装面を、基板収容上ケース２１３に向けて、四隅のうちの１つの対角において、基板収容上ケース２１３とかしめ（封印）固定する。ただし、本実施例とは別に、四隅すべてでかしめ固定してもかまわない。基板収容上ケース２１３は、その四隅のうちの１つの対角に、かしめ係止部２２３を有する。また、主制御基板２１１の、かしめ係止部２２３に対応する位置には、貫通孔２１１ｄを有する。かしめピン２２１（基板側係止部材）の一部は、貫通孔２１１ｄを通った後にかしめ係止部２２３と係合し、主制御基板２１１と基板収容上ケース２１３とをかしめる。なお、かしめピン２２１とかしめ係止部２２３との係合箇所は、かしめ蓋２２２（基板収容上ケース側係止部材）がかしめ係止部２２３に嵌合することによって、覆い隠される。
【００４２】
また、本発明では、「かしめる」とは、主に遊技制御基板を基板ケースに収容し、開封した場合に痕跡が残るように封止することを指す。「かしめ固定」とは、上記の開封した場合に痕跡が残るように封止する意味と、開封、移動を規制する意味の固定の両者を合わせた意味で用いる場合がある。
【００４３】
基板収容下ケース２１２の下側縁には門型のヒンジ部２１２ａが２箇所に設けられ、左右側縁の上部には矩形状の窪みである係止凹部２１２ｂがそれぞれ設けられている。そして、基板収容上ケース２１３の下側縁にはヒンジ部２１２ａと係合するフック状のフック部２１３ａが２箇所に設けられ、左右側縁の上部には係止凹部２１２ｂと係止する凸部を備える係止舌片２１３ｂがそれぞれ設けられている。従って、主制御基板収容ケース２１０を組み立てる場合には、まず、基板収容上ケース２１３のフック部２１３ａを基板収容下ケース２１２のヒンジ部２１２ａに係合させ、次に、ヒンジ部２１２ａを中心に基板収容上ケース２１３を揺動させて基板収容下ケース２１２と基板収容上ケース２１３とを合わせると共に基板収容上ケース２１３の係止舌片２１３ｂを基板収容下ケース２１２の係止凹部２１２ｂに係止させる。
【００４４】
基板収容上ケース２１３と基板収容下ケース２１２とは、上記基板収容上ケース２１３と主制御基板２１１とをかしめた対角以外の対角において、たとえばネジ止めされる。
【００４５】
また、基板収容下ケース２１２および基板収容上ケース２１３の上部には、ケース用かしめピン２１４ａを挿入して両者を分離できないようにかしめるためのケース用かしめ部２１２ｃ、２１３ｃが、それぞれ４箇所に設けられている。これらのケース用かしめ部２１２ｃ、２１３ｃは、基板収容下ケース２１２および基板収容上ケース２１３を組み合わせた場合に、基板収容下ケース２１２のケース用かしめ部２１２ｃが基板収容上ケース２１３のケース用かしめ部２１３ｃ内に収容され、ケース用かしめピン２１４ａが挿入される挿入孔がそれぞれ連通するように構成されている。そして、この連通した挿入孔に挿入されたケース用かしめピン２１４ａが、ケース用かしめ部２１２ｃ、２１３ｃのそれぞれに取り外し不可能に係止するようになっている。すなわち、ケース用かしめピン２１４ａを挿入することにより、ケース用かしめ部２１２ｃ、２１３ｃが互いに分離不可能に結合され、主制御基板収容ケース２１０が封印される。
【００４６】
なお、一旦封印した主制御基板収容ケース２１０を開封する場合には、基板収容上ケース２１３のケース用かしめ部２１３ｃを基板収容上ケース２１３から切断する。これにより、基板収容下ケース２１２および基板収容上ケース２１３を分離した後も、基板収容上ケース２１３のケース用かしめ部２１３ｃが基板収容下ケース２１２のケース用かしめ部２１２ｃと結合したまま基板収容下ケース２１２に残ることととなり、主制御基板収容ケース２１０を開封した痕跡が残るようになっている。本実施形態では、ケース用かしめ部２１２ｃ、２１３ｃが４箇所に設けられているため、主制御基板収容ケース２１０の封印を４回行うことができるようになっている。
【００４７】
また、基板収容下ケース２１２および基板収容上ケース２１３の上部の左右両端には、固定用かしめピン２１４ｂを挿入することによって主制御基板収容ケース２１０の取付ベース２３０への固定を封印するための固定用かしめ部２１２ｄ、２１３ｄが２箇所に設けられている。これらの固定用かしめ部２１２ｄ、２１３ｄは、基板収容下ケース２１２および基板収容上ケース２１３を組み合わせた場合に、基板収容下ケース２１２の固定用かしめ部２１２ｄ内に基板収容上ケース２１３の固定用かしめ部２１３ｄの一部が収容され、固定用かしめピン２１４ｂが挿入される挿入孔がそれぞれ連通するように構成されている。そして、基板収容上ケース２１３側から固定用かしめピン２１４ｂをこの連通した挿入孔に挿入すると共に、基板収容下ケース２１２の背後に突出した固定用かしめピン２１４ｂの先端部を取付ベース２３０に設けられた嵌入孔２３１内に嵌入することにより、主制御基板収容ケース２１０の取付ベース２３０への固定が封印されるようになっている。
【００４８】
固定用かしめピン２１４ｂは、先端部が基板収容下ケース２１２の背後に突出して嵌入孔２３１に嵌入した状態では、基板収容上ケース２１３の固定用かしめ部２１３ｄと係止して取り外せないようになっている。本実施形態では、固定用かしめ部２１２ｄ、２１３ｄが２箇所に設けられているため、主制御基板収容ケース２１０の固定の封印を２回行うことが可能となっている。
【００４９】
なお、主制御基板収容ケース２１０の基板収容下ケース２１２の左端部には、矩形状の２つの係合凸部２１２ｆが突設されており、この２つの係合凸部２１２ｆを取付ベース２３０に設けられた係合凹部２３０ｂに係合させることによって、主制御基板収容ケース２１０は取付ベース２３０に固定される。
【００５０】
また、本実施例では、ケース用かしめ部２１２ｃ、２１３ｃおよび固定用かしめ部２１２ｄ、２１３ｄの配置に応じて、２つのケース用かしめピン２１４ａおよび１つの固定用かしめピン２１４ｂを略Ｅ字形状または紐状の連結部材２１４ｃで連結している。このように、複数のケース用かしめピン２１４ａおよび固定用かしめピン２１４ｂを連結し、一体化することによって、これらのかしめピン２１４ａ、２１４ｂの紛失を防止すると共に、封印忘れを防止することができる。
【００５１】
主制御基板収容ケース２１０の上部中央は、ＩＣタグ封印シール２１５を貼付ける部分となっている。基板収容下ケース２１２の上部中央には、基板収容上ケース２１３に向けて突出する矩形状の凸部２１２ｅが設けられており、基板収容下ケース２１２と基板収容上ケース２１３とを組み合わせた場合に、この凸部２１２ｅが、基板収容上ケース２１３の上部中央に設けられた凹部２１３ｅ内に収容されるようになっている。そして、ＩＣタグ封印シール２１５は、基板収容下ケース２１２の凸部２１２ｅの表面とその下方の基板収容上ケース２１３の表面に跨って貼付けられる（後述する図９（ｂ）参照、図９（ｂ）は、カバー部材２５０と主制御基板収容ケース２１０と取付ベース２３０とを組み付けた状態を示す斜視図である）。従って、本実施例では、主制御基板収容ケース２１０を開封するにはＩＣタグシール２１５を剥がす、または破断する必要があり、これによっても主制御基板収容ケース２１０を開封した痕跡が残るようになっている。すなわち、主制御基板収容ケース２１０は、ＩＣタグ封印シール２１５によっても封印されている。
【００５２】
主制御基板２１１には、外部の各種基板等に繋がるケーブル２１１ｅを接続するための複数のコネクタ２１１ｃが実装されており（後述する図９（ｂ）参照）、基板収容上ケース２１３には、これらのコネクタ２１１ｃに対応する位置に複数のコネクタ孔２１３ｆが設けられている。主制御基板２１１が主制御基板収容ケース２１０内に収容された状態では、各コネクタ２１１ｃは、対応するコネクタ孔２１３ｆから一部が露出するようになっている。従って、主制御基板収容ケース２１０を開封しなくとも、外部の各種基板等に繋がるケーブル２１１ｅを各コネクタ２１１ｃに接続することが可能となっている。また、逆に、各コネクタ２１１ｃに接続されたケーブル２１１ｅを外さない限り、基板収容下ケース２１２と基板収容上ケース２１３を分離して主制御基板収容ケース２１０を開封することができないため、これらのコネクタ２１１ｃは、主制御基板収容ケース２１０の開封を阻止する開封阻止部として機能している。なお、本実施例では、コネクタ２１１ｃが主制御基板２１１の左右両端部に実装されているため、コネクタ孔２１３ｆは基板収容上ケース２１３の左右両端部にのみ設けられている。
【００５３】
＜取付ベース＞
次に、取付ベース２３０について説明する。取付ベース２３０は、透光性のある樹脂から構成された略矩形状の部材であり、中央に主制御基板収容ケース２１０を固定して収容するための矩形状の窪みである収容凹部２３０ａが形成されている。収容凹部２３０ａ底面の四隅近傍には、取付ベース２３０を本体１０１に固定するためのネジを挿通する挿通孔２３２が形成されている。これらの挿通孔２３２は、収容凹部２３０ａ内に主制御基板収容ケース２１０が固定された状態では、主制御基板収容ケース２１０によって遮蔽されることとなる。従って、主制御基板収容ケース２１０を取付ベース２３０から取り外さない限り、取付ベース２３０を本体１０１から取り外すことができないようになっている。
【００５４】
収容凹部２３０aは、主制御基板収容ケース２１０の基板収容下ケース２１２の２つの係合凸部２１２ｆと係合する２つの係合凹部２３０ｂが左側面に設けられると共に、左右方向の幅が主制御基板収容ケース２１０よりやや大きく形成され、収容凹部２３０a内で主制御基板収容ケース２１０を左右にスライド可能に構成されている。従って、主制御基板収容ケース２１０は、一旦右よりに収容凹部２３０ａ内に収容した後に左方向にスライドさせ、係合凸部２１２ｆを係合凹部２３０ｂに係合させることによって取付ベース２３０に固定される。なお、収容凹部２３０ａの下側側面には、主制御基板収容ケース２１０のヒンジ部２１２ａおよびフック部２１３ａと干渉しないようにするための２つの切欠き部２３０ｃが形成されている。
【００５５】
係合凸部２１２ｆを係合凹部２３０ｂに係合させた後、固定用かしめ部２１２ｄ、２１３ｄを通して固定用かしめピン２１４ｂを収容凹部２３０ａの底面に設けられた嵌入孔２３１に嵌入し、主制御基板収容ケース２１０の左右方向の移動を規制することによって、主制御基板収容ケース２１０の取付ベース２３０への固定が封印される。これにより、固定用かしめピン２１４ｂまたは固定用かしめ部２１２ｄ、２１３ｄを破壊する等の痕跡を残さない限り、主制御基板収容ケース２１０を取り外すことが不可能となる。嵌入孔２３１は、係合凸部２１２ｆを係合凹部２３０ｂに係合させた状態での固定用かしめ部２１２ｄ、２１３ｄに対応する位置、すなわち収容凹部２３０ａ底面の上側の左右角部の近傍にそれぞれ設けられている。
【００５６】
なお、収容凹部２３０ａは、主制御基板収容ケース２１０の基板収容下ケース２１２と基板収容上ケース２１３の合せ面が収容凹部２３０ａ内に位置する深さに形成されている。本実施例では、収容凹部２３０ａの深さをこのように設定することで、基板収容下ケース２１２と基板収容上ケース２１３の合せ面への外部からのアクセスを遮断し、この合せ面を介した不正行為を防止するようにしている。
【００５７】
取付ベース２３０の右側面下部には、外部集中端子板２３３を固定するための外部集中端子板固定部２３０ｄが突設されている。この外部集中端子板２３３は、遊技店等に設置される情報収集装置（たとえば、ホールコンピュータ）、および主制御基板２１１に接続され、主制御基板２１１から情報収集装置への各種情報の送信を中継するためのものである。なお、主制御基板２１１と情報収集装置の間の通信は一方向通信であり、情報収集装置から主制御基板への情報の送信はできないようになっている。外部集中端子板２３３は、外部集中端子板固定部２３０ｄの表面において、左側端部を２つの固定片２３０ｅの背後に嵌め込んだ後に右側端部を２つの係止片２３０ｆに係止させることによって固定される。
【００５８】
取付ベース２３０表面の左端部には、主制御基板２１１のコネクタ２１１ｃに接続されたケーブル２１１ｅを部分的に収容するためのケーブル用凹部２３０ｇが形成されている。ケーブル用凹部２３０ｇには、主制御基板２１１の左側に配置されたコネクタ２１１ｃに接続されるケーブル２１１ｅを拘束する（図９（ｂ）参照）ためのケーブル拘束具２３４が２つ配設されている。これらのケーブル拘束具２３４は、ケーブル用凹部２３０ｇの底面に設けられた２つの取付孔２３０ｈに、ケーブル拘束具２３４の固定ピン２３４ａを挿入して係止させることにより、着脱可能に取付けられる。
【００５９】
取付ベース２３０表面の左上部、右上部、および左下部の３箇所には、後述するカバー部材２５０を取付ベース２３０に取り付けるための、案内溝２３５が設けられている。これらの案内溝２３５は、左右方向に所定の長さで形成された溝状の孔であり、左側半分の幅広の挿脱部２３５ａ、および右側半分の幅狭の案内部２３５ｂから構成されている。さらに、取付ベース２３０表面の左下部には、取付ベース２３０に取り付けたカバー部材２５０の左方向への移動を規制するための制止片２３６が設けられている。この制止片２３６は、取付ベース２３０の一部を切り欠くことにより、弾性変形によって先端部が表裏方向に移動可能な舌片状に形成したものである。制止片２３６の先端部表面には、先端に向けて漸次肉厚が増すように形成された斜面部２３６ａが設けられている。従って、制止片２３６の先端部は、斜面部２３６ａが取付ベース２３０の表面から突出した状態となっている。
【００６０】
また、取付ベース２３０表面の右上部には、後述するカバー用かしめピン２６０の一部が挿入される平坦部用第１挿入孔２３７およびカバー用かしめピン２６０の一部が係止する退避部用第１係止孔２３８が設けられている。
【００６１】
＜カバー部材＞
次に、カバー部材２５０について説明する。カバー部材２５０は、取付ベース２３０に固定された主制御基板収容ケース２１０の上部に配置されたケース用かしめ部２１２ｃ、２１３ｃ、固定用かしめ部２１２ｄ、２１３ｄ、およびＩＣタグ封印シール２１５を前方（表側）から覆う（遮蔽する）と共に、主制御基板収容ケース２１０の左端部に位置するコネクタ２１１ｃを前方から覆う（遮蔽する）ための部材である。従って、カバー部材２５０は、水平方向に伸びる横長の略長方形板状の水平部２５０ａ、および水平部２５０ａの左端部を基端として下方向に伸びる縦長の略長方形板状の垂直部２５０ｂから構成された略Ｌ字形の一体形状の部材となっている。換言すれば、カバー部材２５０は、前方（表側）から見た場合に、主制御基板収容ケース２１０の左上角部から右方向に略水平に伸びる辺の近傍の領域、および左上角部から下方向に略垂直に伸びる辺の近傍の領域を覆うことが可能なＬ字形状に一体的に構成されている。
【００６２】
本実施例では、このようにカバー部材２５０をＬ字形状とすることにより、主制御基板収容ケース２１０の開封を阻止する開封阻止部であるケース用かしめ部２１２ｃ、２１３ｃ、固定用かしめ部２１２ｄ、２１３ｄ、ＩＣタグ封印シール２１５、およびコネクタ２１１ｃを１つの部材で効率的に覆いながらも、主制御基板収容ケース２１０内部の視認性、特に中央部の視認性を確保することで、主制御基板２１１に実装されたＲＯＭ等の電子部品２１１ａの目視による確認を阻害することがないようにしている。また、ＣＰＵやＲＡＭ等のその他の電子部品２１１ａについても、目視により容易に状態を確認することができるようになっている。
【００６３】
カバー部材２５０の水平部２５０ａの上端の左右両端部近傍、および垂直部２５０ｂの下端の３箇所には、鉤形舌片２５１が設けられている。この３つの鉤形舌片２５１は、後方の取付ベース２３０に向けて（裏側に向けて）突設された平板の先端部を外側に向けて曲折した形状となっている。また、垂直部２５０ｂの下端近傍には、矩形断面の孔である制止孔２５２が設けられている。これらの鉤形舌片２５１および制止孔２５２は、カバー部材２５０を取付ベース２３０に固定するためのものである。カバー部材２５０の取付ベース２３０への取付については後述する。
【００６４】
カバー部材２５０の垂直部２５０ｂは、コネクタ２１１ｃを覆う部分であるため、コネクタ２１１ｃに接続されるケーブル２１１ｅと干渉しないように垂直部２５０ｂの一部を前方（表側）に向けて膨出させた膨出部２５３が形成されている。従って、カバー部材２５０を取付ベース２３０に固定した状態では、コネクタ２１１ｃに接続されたケーブル２１１ｅは部分的にこの膨出部２５３の内部に収容されることとなる。
【００６５】
カバー部材２５０は、カバー用かしめピン２６０により、取付ベース２３０への固定が封印（かしめ）される。このカバー用かしめピン２６０は、カバー部材２５０に係止する第１係止部２６１と、カバー部材２５０および取付ベース２３０の両方に係止する第２係止部２６２と、第１係止部２６１および第２係止部２６２を連結する連結部２６３と、から構成されている。さらに、第２係止部２６２は、カバー部材２５０および取付ベース２３０の両方に係止せずに挿入される平坦部２６２ａと、カバー部材２５０を通して取付ベース２３０に係止することでカバー部材２５０および取付ベース２３０の両方に係止する退避部２６２ｂと、平坦部２６２ａおよび退避部２６２ｂの間に突設され、位置決めのためにカバー部材２５０のみに挿入される四角柱状の位置決め部２６２ｃと、から構成されている。
【００６６】
カバー部材２５０の水平部２５０ａの右端部近傍には、カバー用かしめピン２６０の第１係止部２６１と係止する第１係止部用係止孔２５４と、平坦部２６２ａが挿入される平坦部用第２挿入孔２５５と、退避部２６２ｂが挿入される退避部用挿入孔２５６と、位置決め部２６２ｃが挿入される位置決め部用挿入孔２５７と、が設けられている。
【００６７】
＜主制御基板２１１と基板収容上ケース２１３とのかしめ＞
次に、図面を参照して、主制御基板２１１と基板収容上ケース２１３とをかしめる構成について説明する。
【００６８】
図４は、主制御基板２１１と基板収容上ケース２１３とをかしめる構成を拡大して示す斜視図であり、（ａ）はかしめ係止部２２３の近傍を拡大して、基板収容上ケース２１３の側から見た図であり、（ｂ）は（ａ）で破線の丸で囲んだ部分Ａをさらに拡大して示す図であり、（ｃ）はかしめピン２２１を示す図であり、（ｄ）はかしめ蓋２２２を示す図である。
【００６９】
また、図５は、主制御基板２１１と基板収容上ケース２１３とをかしめる構成を拡大して示す斜視図であり、（ａ）はかしめ係止部２２３の近傍を拡大して、主制御基板２１１の側から見た図であり、（ｂ）は（ａ）で破線の丸で囲んだ部分Ｂをさらに拡大して示す図である。
【００７０】
かしめピン２２１は、図４（ｃ）に示すように、円板状の頭部２２１ｄと、頭部２２１ｄの一方の面において断面円弧状で延びる２つの脚部２２１ａと、頭部２２１ｄの面のうち脚部２２１ａと同一の面において、２つの脚部２２１ａの間の内周に断面円弧状で延びる２つの脚部２２１ｂと、を有する。円板状の頭部２２１ｄを周方向で４等分した箇所のそれぞれに、脚部２２１ａと脚部２２１ｂとを交互に配置する。脚部２２１ｂは可撓性を有し、段部２２１ｃを有する。
【００７１】
かしめ蓋２２２は、かしめピン２２１と同一形状であり、図４（ｄ）に示すように、円板状の頭部２２２ｄと、頭部２２２ｄの一方の面において断面円弧状で延びる２つの脚部２２２ａと、頭部２２２ｄの面のうち脚部２２２ａと同一の面において、２つの脚部２２２ａの間の内周に断面円弧状で延びる２つの脚部２２２ｂと、を有する。円板状の頭部２２２ｄを周方向で４等分した箇所のそれぞれに、脚部２２２ａと脚部２２２ｂとを交互に配置する。脚部２２２ｂは可撓性を有し、段部２２２ｃを有する。
【００７２】
主制御基板２１１の貫通孔２１１ｄは、かしめピン２２１の脚部２２１ａおよび脚部２２１ｂは貫通可能であるが、頭部２２１ｄは貫通不可能な形状である。
【００７３】
基板収容上ケース２１３のかしめ係止部２２３は、主制御基板２１１と反対の側に２つの係合部２２３ａを有し（図４（ｂ）参照）、主制御基板２１１の側に２つの係合部２２３ｂを有する（図５（ｂ）参照）。係合部２２３ｂはかしめピン２２１の脚部２２１ｂに応じた位置に設け、係合部２２３ａはかしめ蓋２２２の脚部２２２ｂに応じた位置に設ける。また、かしめ係止部２２３は、基板収容上ケース２１３を主制御基板２１１の側から反対の側へと貫通する貫通孔２２３ｅを有する。この貫通孔２２３ｅは、かしめ蓋２２２の脚部２２２ａおよび脚部２２２ｂは貫通可能であるが、頭部２２２ｄは貫通不可能な形状である。
【００７４】
図６（ａ）は、主制御基板２１１と基板収容上ケース２１３とをかしめた状態を示す斜視図であり、図６（ｂ）は、かしめた状態でのかしめピン２２１およびかしめ蓋２２２のみを示す斜視図である。
【００７５】
また、図７（ａ）は、主制御基板２１１と基板収容上ケース２１３とをかしめた状態を、主制御基板２１１の側から見た背面図であり、（ｂ）は（ａ）のＣ−Ｃ断面図であり、（ｃ）は（ａ）のＤ−Ｄ断面図である。
【００７６】
主制御基板２１１と基板収容上ケース２１３とをかしめる際には、まず、貫通孔２１１ｄとかしめ係止部２２３とを対向させて主制御基板２１１と基板収容上ケース２１３とを組み合わせた状態で、主制御基板２１１の側から、貫通孔２１１ｄおよび貫通孔２２３ｅにかしめピン２２１の脚部２２１ａおよび脚部２２１ｂを挿入する（図５（ａ）参照）。このとき、脚部２２１ｂの先端は、段部２２１ｃを有する形状であるため、係合部２２３ｂの内径よりも大きな径を有するが、脚部２２１ｂが可撓性を有するため、撓んで挿入する。
【００７７】
かしめピン２２１の挿入により、かしめピン２２１の頭部２２１ｄの面と主制御基板２１１とが当接し、さらに主制御基板２１１と係合部２２３ｂの先端とが当接すると、図７（ｂ）に示すように、脚部２２１ｂの先端は、係合部２２３ｂの内径が大きな箇所に至り、脚部２２１ｂの撓みは解除され、脚部２２１ｂの段部２２１ｃは係合部２２３ｂの段部２２３ｄに当接し、かしめピン２２１と係合部２２３ｂとが係止される。
【００７８】
ところで、このかしめピン２２１を挿入しただけの状態では、基板収容上ケース２１３の、主制御基板２１１とは反対の側において貫通孔２２３ｅが露出し、かしめピン２２１の段部２２１ｃと係合部２２３ｂの段部２２３ｄとによる係止箇所に直接触れることができ、係止を解除できてしまう。そこで、この露出箇所をかしめ蓋２２２で塞ぐ。すなわち、基板収容上ケース２１３の、主制御基板２１１とは反対の側から、貫通孔２２３ｅにかしめ蓋２２２の脚部２２２ａおよび脚部２２２ｂを挿入する（図４（ａ）参照）。このとき、脚部２２２ｂの先端は、段部２２２ｃを有する形状であるため、係合部２２３ａの内径よりも大きな径を有するが、脚部２２２ｂが可撓性を有するため、撓んで挿入する。
【００７９】
かしめ蓋２２２の挿入により、かしめ蓋２２２の頭部２２２ｄの面と係合部２２３ａの先端とが当接すると、図７（ｃ）に示すように、脚部２２２ｂの先端は、係合部２２３ａの内径が大きな箇所に至り、脚部２２２ｂの撓みは解除され、脚部２２２ｂの段部２２２ｃは係合部２２３ａの段部２２３ｃに当接し、かしめ蓋２２２と係合部２２３ａとが係止される。このかしめ蓋２２２により、かしめピン２２１と係合部２２３ｂとの係止箇所の露出は塞がれ、また、かしめピン２２１により、かしめ蓋２２２と係合部２２３ａとの係止箇所の露出は塞がれ、この箇所を破壊しない限り主制御基板２１１と基板収容上ケース２１３とを外すことは不可能となり、主制御基板２１１と基板収容上ケース２１３とをかしめる。
【００８０】
図６（ｂ）に示すように、かしめピン２２１とかしめ蓋２２２とは、互いに同一形状であり、相手に対して周方向でほぼ９０度回転させた向きで挿入される。また、この挿入の周方向の向きは、係合部２２３ｂおよび係合部２２３ａの形状によって規制される。
【００８１】
かしめピン２２１およびかしめ蓋２２２を挿入した状態においては、図６（ｂ）に示すように、かしめピン２２１の脚部２２１ｂと係合部２２３ｂとの係止箇所は、かしめ蓋２２２の脚部２２２ａによって隠され、かしめ蓋２２２の脚部２２２ｂと係合部２２３ａとの係止箇所は、かしめピン２２１の脚部２２１ａによって隠される。
【００８２】
＜基板収容上ケース２１３と基板収容下ケース２１２とのかしめ＞
次に、図面を参照して、基板収容上ケース２１３と基板収容下ケース２１２とをかしめる構成について説明する。
【００８３】
図８は、基板収容上ケース２１３と基板収容下ケース２１２とをかしめた状態を示す図であり、（ａ）は基板収容上ケース２１３の側から見た正面図であり、（ｂ）は（ａ）で丸で囲んだ部分Ｅを拡大して示す断面図である。
【００８４】
基板収容上ケース２１３と基板収容下ケース２１２とをかしめる際には、基板収容上ケース２１３のケース用かしめ部２１３ｃ内に、基板収容下ケース２１２のケース用かしめ部２１２ｃを嵌め込み、ケース用かしめ部２１３ｃおよびケース用かしめ部２１２ｃの両者を貫くようにケース用かしめピン２１４ａを挿入する。ケース用かしめピン２１４ａはかえしを有し、挿入時には撓んで挿入可能となるが、１度挿入したら引き抜き不可能にしてある。
【００８５】
したがって、上述の主制御基板２１１と基板収容上ケース２１３とのかしめは、この基板収容上ケース２１３と基板収容下ケース２１２とのかしめとは、異なる構造によってかしめている。
【００８６】
＜カバー部材２５０と取付ベース２３０とのかしめ＞
次に、図面を参照して、カバー部材２５０と取付ベース２３０とをかしめる構成について説明する。
【００８７】
図９（ａ）は、主制御基板収容ケース２１０と取付ベース２３０とを組み付けた後、カバー部材２５０を組み付ける直前の状態を示す斜視図であり、図９（ｂ）は、カバー部材２５０と主制御基板収容ケース２１０と取付ベース２３０とを組み付けた後、カバー部材２５０と取付ベース２３０とをかしめた状態を示す斜視図である。
【００８８】
カバー部材２５０と取付ベース２３０とのかしめは、カバー用かしめピン２６０の退避部２６２ｂを、カバー部材２５０の退避部用挿入孔２５６に挿入し、さらに取付ベース２３０の退避部用第１係止孔２３８に挿入して係止することによって行われる。このように、カバー部材２５０と取付ベース２３０とのかしめは、１箇所で行う。
【００８９】
したがって、上述の主制御基板２１１と基板収容上ケース２１３とのかしめは、このカバー部材２５０と取付ベース２３０とのかしめとは、異なる構造によってかしめている。
【００９０】
＜基板収容上ケース２１３と基板収容下ケース２１２とのかしめの解除＞
次に、図面を参照して、基板収容上ケース２１３と基板収容下ケース２１２とのかしめの解除について説明する。
【００９１】
図１０は、基板収容上ケース２１３と基板収容下ケース２１２とのカシメを解除するための破断を説明する図であり、（ａ）は、基板収容上ケース２１３の側から見た正面図において、かしめ解除のための破断箇所を示す図であり、（ｂ）は、カシメを解除して基板収容上ケース２１３と基板収容下ケース２１２とを取り外した状態を示す斜視図である。
【００９２】
基板収容上ケース２１３のケース用かしめ部２１３ｃは、基板収容上ケース２１３と一体成型されているが、４箇所の連結部２１３ｇによってのみ繋がっており、この４箇所の連結部２１３ｇを図１０（ａ）に破線で示すように破断すると、ケース用かしめ部２１３ｃは基板収容上ケース２１３から取り外すことができる。
【００９３】
また、ケース用かしめピン２１４ａは、隣のケース用かしめピン２１４ａと連結部材２１４ｃによって連結されており、連結部材２１４ｃを図１０（ａ）に破線で示すように破断すると、ケース用かしめピン２１４ａを他のケース用かしめピン２１４ａから取り外すことができる。
【００９４】
したがって、基板収容上ケース２１３と基板収容下ケース２１２とのかしめを解除する際には、４箇所の連結部２１３ｇおよび連結部材２１４ｃを図１０（ａ）に破線で示すように破断する。この破断は、たとえばニッパー等によって行う。このように４箇所の連結部２１３ｇおよび連結部材２１４ｃを破断すると、ケース用かしめ部２１３ｃは、ケース用かしめピン２１４ａによってケース用かしめ部２１２ｃに固定されたままで、基板収容上ケース２１３から取り外され、基板収容上ケース２１３と基板収容下ケース２１２とを開封可能となる（図１０（ｂ）参照）。
【００９５】
上述の主制御基板２１１と基板収容上ケース２１３とのかしめの解除（図１１を参照して後述する）は、この基板収容上ケース２１３と基板収容下ケース２１２とのかしめの解除とは、異なる構造によって行う。すなわち、基板収容上ケース２１３と基板収容下ケース２１２とのかしめ解除では、図１０（ｂ）に示すように、基板収容下ケース２１２に、ケース用かしめ部２１３ｃおよびケース用かしめピン２１４ａが残存し、かしめを解除した痕跡が残るようにしているが、主制御基板２１１と基板収容上ケース２１３とのかしめの解除では、そのような構成にはしていない。
【００９６】
また、カバー部材２５０と取付ベース２３０とのかしめの解除も、基板収容上ケース２１３と基板収容下ケース２１２とのかしめの解除と同様に、かしめを解除した痕跡が残るようにしている。
【００９７】
＜主制御基板２１１と基板収容上ケース２１３とのかしめの解除＞
次に、図面を参照して、主制御基板２１１と基板収容上ケース２１３とのかしめの解除について説明する。
【００９８】
図１１は、主制御基板２１１と基板収容上ケース２１３とのカシメを解除するための破断を説明する斜視図であり、（ａ）は、かしめ蓋２２２の破断箇所を説明する図であり、（ｂ）は、かしめ蓋２２２の頭部２２２ｄを破断して脚部２２２ｂを取り外した状態を示す図であり、（ｃ）は、さらに脚部２２２ａを取り外した状態を示す図である。
【００９９】
主制御基板２１１と基板収容上ケース２１３とのかしめを解除する際には、２つの脚部２２２ａおよび２つの脚部２２２ｂの４つそれぞれが別体となるように、かしめ蓋２２２の頭部２２２ｄを破断する。すなわち、図１１（ａ）に破線で示した箇所をニッパー等で破断する。
【０１００】
この破断により４つの脚部２２２ａ、２２２ｂを別体とすると、脚部２２２ｂの係合部２２３ａへの係止が緩み、脚部２２２ｂが取り外される（図１１（ｂ）参照）。さらに、脚部２２２ａも取り外される（図１１（ｃ）参照）。
【０１０１】
このようにしてかしめ蓋２２２を除去した後は、貫通孔２２３ｅが露出するので、かしめピン２２１の段部２２１ｃと係合部２２３ｂの段部２２３ｄとによる係止箇所に直接触れ、係止を解除し、かしめピン２２１を取り外す。
【０１０２】
以上によって、主制御基板２１１と基板収容上ケース２１３とのかしめが解除される。このように、主制御基板２１１と基板収容上ケース２１３とのかしめの解除においては、その解除の痕跡が特に残らない構成を採用している。
【０１０３】
次に、図１２を参照して、スロットマシン１００の制御部の回路構成について詳細に説明する。なお、同図は制御部の回路ブロック図を示したものである。
【０１０４】
スロットマシン１００の制御部は、大別すると、遊技の進行を制御する主制御部３００と、主制御部３００が送信するコマンド信号（以下、単に「コマンド」と呼ぶ）に応じて、主な演出の制御を行う第１副制御部４００と、第１副制御部４００より送信されたコマンドに基づいて各種機器を制御する第２副制御部５００と、によって構成されている。
【０１０５】
＜主制御部＞
まず、スロットマシン１００の主制御部３００について説明する。
【０１０６】
主制御部３００は、主制御部３００の全体を制御する基本回路３０２を備えており、この基本回路３０２には、ＣＰＵ３０４と、制御プログラムデータ、入賞役の内部抽選時に用いる抽選データ、リールの停止位置等を記憶するためのＲＯＭ３０６と、一時的にデータを記憶するためのＲＡＭ３０８と、各種デバイスの入出力を制御するためのＩ／Ｏ３１０と、時間や回数等を計測するためのカウンタタイマ３１２と、異常を監視しそれに応じて割り込みを行うＷＤＴ３１３と、を搭載している。なお、ＲＯＭ３０６やＲＡＭ３０８については他の記憶装置を用いてもよく、この点は後述する第１副制御部４００についても同様である。
【０１０７】
この基本回路３０２のＣＰＵ３０４は、水晶発振器３１４が出力する所定周期のクロック信号をシステムクロックとして入力して動作する。さらには、ＣＰＵ３０４は、電源が投入されるとＲＯＭ３０６の所定エリアに格納された分周用のデータをカウンタタイマ３１２に送信し、カウンタタイマ３１２は受信した分周用のデータを基に割り込み時間を決定し、この割り込み時間ごとに割り込み要求をＣＰＵ３０４に送信する。ＣＰＵ３０４は、この割込み要求を契機に各センサ等の監視や駆動パルスの送信を実行する。たとえば、水晶発振器３１４が出力するクロック信号を８ＭＨｚ、カウンタタイマ３１２の分周値を１／２５６、ＲＯＭ３０６の分周用のデータを４７に設定した場合、割り込みの基準時間は、２５６×４７÷８ＭＨｚ＝１．５０４ｍｓとなる。
【０１０８】
基本回路３０２は、０〜６５５３５の範囲で数値を変動させるハードウェア乱数カウンタとして使用している乱数発生回路３１６と、電源が投入されると起動信号（リセット信号）を出力する起動信号出力回路３３８と、を設けており、ＣＰＵ３０４は、この起動信号出力回路３３８から起動信号を入力した場合に、遊技制御を開始する（後述する主制御部メイン処理を開始する）。
【０１０９】
また、基本回路３０２には、センサ回路３２０を設けており、ＣＰＵ３０４は、割り込み時間ごとに各種センサ３１８（ベットボタン１３０センサ、ベットボタン１３１センサ、ベットボタン１３２センサ、メダル投入口１４１から投入されたメダルのメダル受付センサ、スタートレバー１３５センサ、ストップボタン１３７センサ、ストップボタン１３８センサ、ストップボタン１３９センサ、精算ボタン１３４センサ、メダル払出装置１８０から払い出されるメダルのメダル払出センサ、リール１１０のインデックスセンサ、リール１１１のインデックスセンサ、リール１１２のインデックスセンサ、等）の状態を監視している。
【０１１０】
なお、センサ回路３２０がスタートレバーセンサのＨレベルを検出した場合には、この検出を示す信号を乱数発生回路３１６に出力する。この信号を受信した乱数発生回路３１６は、そのタイミングにおける値をラッチし、抽選に使用する乱数値を格納するレジスタに記憶する。
【０１１１】
メダル受付センサは、メダル投入口１３４の内部通路に２個設置されており、メダルの通過有無を検出する。
【０１１２】
スタートレバー１３５センサは、スタートレバー１３５内部に２個設置されており、遊技者によるスタート操作を検出する。
【０１１３】
ストップボタン１３７センサ、ストップボタン１３８センサ、および、ストップボタン１３９センサは、各々のストップボタン１３７乃至１３９に設置されており、遊技者によるストップボタン１３７乃至１３９の操作を検出する。
【０１１４】
ベットボタン１３０センサ、ベットボタン１３１センサ、および、ベットボタン１３２センサは、メダル投入ボタン１３０乃至１３２のそれぞれに設置されており、ＲＡＭ３０８に電子的に貯留されているメダルを遊技への投入メダルとして投入する場合の投入操作を検出する。
【０１１５】
精算ボタン１３４センサは、精算ボタン１３４に設けられている。精算ボタン１３４が一回押されると、電子的に貯留されているメダルを精算する。
【０１１６】
メダル払出センサは、メダル払出装置１８０が払い出すメダルを検出するためのセンサである。
【０１１７】
なお、以上の各センサは、非接触式のセンサであっても接点式のセンサであってもよい。
【０１１８】
リール１１０のインデックスセンサ、リール１１１のインデックスセンサ、および、リール１１２のインデックスセンサは、各リール１１０乃至１１２の取付台の所定位置に設置されており、リールフレームに設けた遮光片が通過するたびにＬレベルになる。ＣＰＵ３０４は、この信号を検出すると、リールが１回転したものと判断し、リールの回転位置情報をゼロにリセットする。
【０１１９】
主制御部３００は、リール装置１１０乃至１１２に設けたステッピングモータを駆動する駆動回路３２２を設けており、投入されたメダルを選別するメダルセレクタ１７０に設けたソレノイドを駆動する駆動回路３２４を設けており、メダル払出装置１８０に設けたモータを駆動する駆動回路３２６を設けており、各種ランプ３３９（入賞ライン表示ランプ１２０、告知ランプ１２３、遊技メダル投入可能ランプ１２４、再遊技ランプ１２２、遊技メダル投入ランプ１２９は、遊技開始ランプ１２１、貯留枚数表示器１２５、遊技情報表示器１２６、払出枚数表示器１２７）を駆動する駆動回路３２８を設けている。
【０１２０】
また、基本回路３０２には、情報出力回路３３４（外部集中端子板２４８）を接続しており、主制御部３００は、この情報出力回路３３４を介して、外部のホールコンピュータ（図示省略）等が備える情報入力回路６５２にスロットマシン１００の遊技情報（たとえば、遊技状態）を出力する。
【０１２１】
また、主制御部３００は、第１副制御部４００にコマンドを送信するための出力インタフェースを備えており、第１副制御部４００との通信を可能としている。なお、主制御部３００と第１副制御部４００との情報通信は一方向の通信であり、主制御部３００は第１副制御部４００にコマンド等の信号を送信できるように構成しているが、第１副制御部４００からは主制御部３００にコマンド等の信号を送信できないように構成している。
【０１２２】
＜副制御部＞
次に、スロットマシン１００の第１副制御部４００について説明する。
【０１２３】
第１副制御部４００は、主制御部３００が送信した制御コマンドを入力インタフェースを介して受信し、この制御コマンドに基づいて第１副制御部４００の全体を制御する基本回路４０２を備えており、この基本回路４０２は、ＣＰＵ４０４と、一時的にデータを記憶するためのＲＡＭ４０８と、各種デバイスの入出力を制御するためのＩ／Ｏ４１０と、時間や回数等を計測するためのカウンタタイマ４１２を搭載している。
【０１２４】
基本回路４０２のＣＰＵ４０４は、水晶発振器４１４が出力する所定周期のクロック信号をシステムクロックとして入力して動作し、第１副制御部４００の全体を制御するための制御プログラム及びデータ、バックライトの点灯パターンや各種表示器を制御するためのデータ等が記憶されたＲＯＭ４０６が設けている。
【０１２５】
ＣＰＵ４０４は、所定のタイミングでデータバスを介してＲＯＭ４０６の所定エリアに格納された分周用のデータをカウンタタイマ４１２に送信する。カウンタタイマ４１２は、受信した分周用のデータを基に割り込み時間を決定し、この割り込み時間ごとに割り込み要求をＣＰＵ４０４に送信する。ＣＰＵ４０４は、この割込み要求のタイミングをもとに、各ＩＣや各回路を制御する。
【０１２６】
また、第１副制御部４００には、音源ＩＣ４１８を設けており、音源ＩＣ４１８に出力インタフェースを介してスピーカ２７２、２７７を設けている。音源ＩＣ４１８は、ＣＰＵ４０４からの命令に応じてアンプおよびスピーカ２７２、２７７から出力する音声の制御を行う。音源ＩＣ４１８には音声データが記憶されたＳ−ＲＯＭ（サウンドＲＯＭ）が接続されており、このＲＯＭから取得した音声データをアンプで増幅させてスピーカ２７２、２７７から出力する。
【０１２７】
また、第１副制御部４００には、駆動回路４２２が設けられ、駆動回路４２２に入出力インタフェースを介して各種ランプ４２０（上部ランプ、下部ランプ、サイドランプ１４４、タイトルパネル１６２ランプ、等）を設けている。
【０１２８】
また、ＣＰＵ４０４は、出力インタフェースを介して第２副制御部５００へ信号の送受信を行う。スロットマシン１００の第２副制御部５００では、演出画像表示装置１５７や各種演出用駆動装置１６０の制御を行う。第２副制御部５００は、たとえば、液晶表示装置１５７の制御を行う制御部、各種演出用駆動装置１６０の制御を行う制御部とするなど、複数の制御部で構成するようにしてもよい。
【０１２９】
＜主制御部メイン処理＞
図１３を用いて、主制御部３００のＣＰＵ３０４が実行する主制御部メイン処理について説明する。なお、同図は主制御部メイン処理の流れを示すフローチャートである。
【０１３０】
上述したように、主制御部３００には、電源が投入されると起動信号（リセット信号）を出力する起動信号出力回路（リセット信号出力回路）３３８を設けている。この起動信号を入力した基本回路３０２のＣＰＵ３０４は、リセット割込によりリセットスタートしてＲＯＭ３０６に予め記憶している制御プログラムに従って図１３に示す主制御部メイン処理を実行する。
【０１３１】
電源投入が行われると、まず、ステップＳＡ０１で各種の初期設定を行う。この初期設定では、ＣＰＵ３０４のスタックポインタ（ＳＰ）へのスタック初期値の設定、割込禁止の設定、Ｉ／Ｏ３１０の初期設定、ＲＡＭ３０８に記憶する各種変数の初期設定、ＷＤＴ３１３への動作許可及び初期値の設定等を行う。
【０１３２】
ステップＳＡ０３ではメダル投入・スタート操作受付処理を実行する。ここではメダルの投入の有無をチェックし、メダルの投入に応じて入賞ライン表示ランプ１２０を点灯させる。なお、前回の遊技で再遊技に入賞した場合は、前回の遊技で投入されたメダル枚数と同じ数のメダルを投入する処理を行うので、遊技者によるメダルの投入が不要となる。また、スタートレバー１３５が操作されたか否かのチェックを行い、スタートレバー１３５の操作があればステップＳＡ０５へ進む。
【０１３３】
ステップＳＡ０５では投入されたメダル枚数を確定し、有効な入賞ラインを確定する。
【０１３４】
ステップＳＡ０７では乱数発生回路３１６で発生させた乱数を取得する。
【０１３５】
ステップＳＡ０９では、現在の遊技状態に応じてＲＯＭ３０６に格納されている入賞役抽選テーブルを読み出し、これとステップＳＡ０７で取得した乱数値とを用いて内部抽選を行う。内部抽選の結果、いずれかの入賞役（作動役を含む）に内部当選した場合、その入賞役のフラグがＯＮになる。
【０１３６】
ステップＳＡ１１では内部抽選結果に基づき、リール停止データを選択する。
【０１３７】
ステップＳＡ１３では全リール１１０乃至１１２の回転を開始させる。
【０１３８】
ステップＳＡ１５では、ストップボタン１３７乃至１３９の受け付けが可能になり、いずれかのストップボタンが押されると、押されたストップボタンに対応するリール１１０乃至１１２の何れかをステップＳＡ１１で選択したリール停止制御データに基づいて停止させる。全リール１１０乃至１１２が停止するとステップＳＡ１７へ進む。
【０１３９】
ステップＳＡ１７では、入賞判定を行う。ここでは、有効化された入賞ライン１１４上に、何らかの入賞役に対応する絵柄組合せが表示された場合にその入賞役に入賞したと判定する。たとえば、有効化された入賞ライン上に「ベル−ベル−ベル」が揃っていたならばベル入賞と判定する。
【０１４０】
ステップＳＡ１９では払い出しのある何らかの入賞役に入賞していれば、その入賞役に対応する枚数のメダルを入賞ライン数に応じて払い出す。
【０１４１】
ステップＳＡ２１では遊技状態制御処理を行う。以上により１ゲームが終了する。以降ステップＳＡ０３へ戻って上述した処理を繰り返すことにより遊技が進行することになる。
【０１４２】
<第１副制御部４００の処理>
図１４を用いて、第１副制御部４００の処理について説明する。なお、同図（ａ）は、第１副制御部４００のＣＰＵ４０４が実行するメイン処理のフローチャートである。同図（ｂ）は、第１副制御部４００のコマンド受信割込処理のフローチャートである。同図（ｃ）は、第１副制御部４００のタイマ割込処理のフローチャートである。
【０１４３】
まず、同図（ａ）のステップＳＣ０１では、各種の初期設定を行う。電源投入が行われると、まずＳＣ０１で初期化処理が実行される。この初期化処理では、入出力ポートの初期設定や、ＲＡＭ４０８内の記憶領域の初期化処理等を行う。
【０１４４】
ステップＳＣ０３では、タイマ変数が１０以上か否かを判定し、タイマ変数が１０となるまでこの処理を繰り返し、タイマ変数が１０以上となったときには、ステップＳＣ０５の処理に移行する。
【０１４５】
ステップＳＣ０５では、タイマ変数に０を代入する。
【０１４６】
ステップＳＣ０７では、コマンド処理を行う。第１副制御部４００のＣＰＵ４０４は、主制御部３００からコマンドを受信したか否かを判別する。
【０１４７】
ステップＳＣ０９では、演出制御処理を行う。たとえば、ＳＣ０７で新たなコマンドがあった場合には、このコマンドに対応する演出データをＲＯＭ４０６から読み出す等の処理を行い、演出データの更新が必要な場合には演出データの更新処理を行う。
【０１４８】
ステップＳＣ１１では、ステップＳＣ０９で読み出した演出データの中に音源ＩＣ４１８への命令がある場合には、この命令を音源ＩＣ４１８に出力する。
【０１４９】
ステップＳＣ１３では、ステップＳＣ０９で読み出した演出データの中に各種ランプ４２０への命令がある場合には、この命令を駆動回路４２２に出力する。
【０１５０】
ステップＳＣ１５では、ステップＳＣ０９で読み出した演出データの中に第２副制御部５００に送信する制御コマンドがある場合には、この制御コマンドを出力する設定を行い、ステップＳＣ０３へ戻る。
【０１５１】
次に、同図（ｂ）を用いて、第１副制御部４００のコマンド受信割込処理について説明する。このコマンド受信割込処理は、第１副制御部４００が、主制御部３００が出力するストローブ信号を検出した場合に実行する処理である。
【０１５２】
コマンド受信割込処理のステップＳＤ０１では、主制御部３００が出力したコマンドを未処理コマンドとしてＲＡＭ４０８に設けたコマンド記憶領域に記憶する。
【０１５３】
次に、同図（ｃ）を用いて、第１副制御部４００のＣＰＵ４０４によって実行する第１副制御部タイマ割込処理について説明する。第１副制御部４００は、所定の周期（本実施例では２ｍｓに１回）でタイマ割込を発生するハードウェアタイマを備えており、このタイマ割込を契機として、タイマ割込処理を所定の周期で実行する。
【０１５４】
第１副制御部４００のタイマ割込処理のステップＳＥ０１では、図１４（ａ）に示す第１副制御部メイン処理におけるステップＳＣ０３において説明したＲＡＭ４０８のタイマ変数記憶領域の値に、１を加算して元のタイマ変数記憶領域に記憶する。従って、ステップＳＣ０３において、タイマ変数の値が１０以上と判定されるのは２０ｍｓ毎（２ｍｓ×１０）となる。
【０１５５】
第１副制御部タイマ割込処理のステップＳＥ０３では、ステップＳＣ１５で設定された第２副制御部５００への制御コマンドの送信や、演出用乱数値の更新処理等を行う。
【０１５６】
＜＜実施例２＞＞
次に、図面を参照して、本発明の実施例２について説明する。
【０１５７】
＜主制御基板２１１と基板収容上ケース１２１３とのかしめ＞
図１５は、実施例２において、主制御基板２１１と基板収容上ケース１２１３とをかしめる構成を拡大して示す斜視図であり、（ａ）はかしめ係止部１２２３の近傍を拡大して、基板収容上ケース１２１３の側から見た図であり、（ｂ）は（ａ）で破線の丸で囲んだ部分Ｆをさらに拡大して示す図であり、（ｃ）はかしめピン１２２１を示す図であり、（ｄ）はかしめ蓋１２２２を示す図である。
【０１５８】
また、図１６は、実施例２において、主制御基板２１１と基板収容上ケース１２１３とをかしめる構成を拡大して示す斜視図であり、（ａ）はかしめ係止部１２２３の近傍を拡大して、主制御基板２１１の側から見た図であり、（ｂ）は（ａ）で破線の丸で囲んだ部分Ｇをさらに拡大して示す図である。
【０１５９】
かしめピン１２２１は、図１５（ｃ）に示すように、円板の四方に溝１２２１ｅを設けた形状の頭部１２２１ｄと、頭部１２２１ｄの溝１２２１ｅがある面において断面円弧状で延びる２つの脚部１２２１ａと、頭部１２２１ｄの面のうち脚部１２２１ａと同一の面において、２つの脚部１２２１ａの間の内周に断面円弧状で延びる２つの脚部１２２１ｂと、を有する。円板状の頭部１２２１ｄを周方向で４等分した箇所であって溝１２２１ｅのない箇所のそれぞれに、脚部１２２１ａと脚部１２２１ｂとを交互に配置する。脚部１２２１ｂは可撓性を有し、段部１２２１ｃを有する。
【０１６０】
かしめ蓋１２２２は、かしめピン２２１と同一形状であり、図１５（ｄ）に示すように、円板の四方に溝１２２２ｅを設けた形状の頭部１２２２ｄと、頭部１２２２ｄの溝１２２２ｅがある面において断面円弧状で延びる２つの脚部１２２２ａと、頭部１２２２ｄの面のうち脚部１２２２ａと同一の面において、２つの脚部１２２２ａの間の内周に断面円弧状で延びる２つの脚部１２２２ｂと、を有する。円板状の頭部１２２２ｄを周方向で４等分した箇所であって溝１２２２ｅのない箇所のそれぞれに、脚部１２２２ａと脚部１２２２ｂとを交互に配置する。脚部１２２２ｂは可撓性を有し、段部１２２２ｃを有する。
【０１６１】
主制御基板２１１の貫通孔２１１ｄは、かしめピン１２２１の脚部１２２１ａおよび脚部１２２１ｂは貫通可能であるが、頭部１２２１ｄは貫通不可能な形状である。
【０１６２】
基板収容上ケース１２１３のかしめ係止部１２２３は、主制御基板２１１と反対の側において、実施例１の係合部２２３ａを４つのブロック形状の係合部１２２３ａに変更した形状を有する。また、実施例１の段部２２３ｃと同様の段部１２２３ｃ（図１８に後述する）も有する。さらに、基板収容上ケース１２１３のかしめ係止部１２２３は、主制御基板２１１の側に２つの係合部１２２３ｂを有する（図１６（ｂ）参照）。係合部１２２３ｂはかしめピン１２２１の脚部１２２１ｂに応じた位置に設け、段部１２２３ｃはかしめ蓋１２２２の脚部１２２２ｂに応じた位置に設ける。また、かしめ係止部１２２３は、基板収容上ケース１２１３を主制御基板２１１の側から反対の側へと貫通する貫通孔１２２３ｅを有する。この貫通孔１２２３ｅは、かしめ蓋１２２２の脚部１２２２ａおよび脚部１２２２ｂは貫通可能であるが、頭部１２２２ｄは貫通不可能な形状である。
【０１６３】
図１７（ａ）は、主制御基板２１１と基板収容上ケース１２１３とをかしめた状態を示す斜視図であり、図１７（ｂ）は、かしめた状態でのかしめピン１２２１およびかしめ蓋１２２２のみを示す斜視図である。
【０１６４】
また、図１８（ａ）は、主制御基板２１１と基板収容上ケース１２１３とをかしめた状態を、主制御基板２１１の側から見た背面図であり、（ｂ）は（ａ）のＨ−Ｈ断面図であり、（ｃ）は（ａ）のＩ−Ｉ断面図である。
【０１６５】
主制御基板２１１と基板収容上ケース１２１３とをかしめる際には、まず、貫通孔２１１ｄとかしめ係止部１２２３とを対向させて主制御基板２１１と基板収容上ケース１２１３とを組み合わせた状態で、主制御基板２１１の側から、貫通孔２１１ｄおよび貫通孔１２２３ｅにかしめピン１２２１の脚部１２２１ａおよび脚部１２２１ｂを挿入する（図１６（ａ）参照）。このとき、脚部１２２１ｂの先端は、段部１２２１ｃを有する形状であるため、係合部１２２３ｂの内径よりも大きな径を有するが、脚部１２２１ｂが可撓性を有するため、撓んで挿入する。
【０１６６】
かしめピン１２２１の挿入により、かしめピン１２２１の頭部１２２１ｄの面と主制御基板２１１とが当接し、さらに主制御基板２１１と係合部１２２３ｂの先端とが当接すると、図１８（ｂ）に示すように、脚部１２２１ｂの先端は、係合部１２２３ｂの内径が大きな箇所に至り、脚部１２２１ｂの撓みは解除され、脚部１２２１ｂの段部１２２１ｃは係合部１２２３ｂの段部１２２３ｄに当接し、かしめピン１２２１と係合部１２２３ｂとが係止される。
【０１６７】
ところで、このかしめピン１２２１を挿入しただけの状態では、基板収容上ケース１２１３の、主制御基板２１１とは反対の側において貫通孔１２２３ｅが露出し、かしめピン１２２１の段部１２２１ｃと係合部１２２３ｂの段部１２２３ｄとによる係止箇所に直接触れることができ、係止を解除できてしまう。そこで、この露出箇所をかしめ蓋１２２２で塞ぐ。すなわち、基板収容上ケース１２１３の、主制御基板２１１とは反対の側から、貫通孔１２２３ｅにかしめ蓋１２２２の脚部１２２２ａおよび脚部１２２２ｂを挿入する（図１５（ａ）参照）。このとき、脚部１２２２ｂの先端は、段部１２２２ｃを有する形状であるため、係合部１２２３ａの内径よりも大きな径を有するが、脚部１２２２ｂが可撓性を有するため、撓んで挿入する。
【０１６８】
かしめ蓋１２２２の挿入により、かしめ蓋１２２２の頭部１２２２ｄの４つの溝１２２２ｅに４つのブロック状の係合部１２２３ａが嵌り、また、頭部１２２２ｄの面と基板収容上ケース１２１３の面とが当接すると、図１８（ｃ）に示すように、脚部１２２２ｂの先端は、係合部１２２３ａの内径が大きな箇所に至り、脚部１２２２ｂの撓みは解除され、脚部１２２２ｂの段部１２２２ｃは係合部１２２３ａの段部１２２３ｃに当接し、かしめ蓋１２２２と係合部１２２３ａとが係止される。このかしめ蓋１２２２により、かしめピン１２２１と係合部１２２３ｂとの係止箇所の露出は塞がれ、また、かしめピン１２２１により、かしめ蓋１２２２と係合部１２２３ａとの係止箇所の露出は塞がれ、この箇所を破壊しない限り主制御基板２１１と基板収容上ケース１２１３とを外すことは不可能となり、主制御基板２１１と基板収容上ケース１２１３とをかしめる。
【０１６９】
図１７（ｂ）に示すように、かしめピン１２２１とかしめ蓋１２２２とは、互いに同一形状であり、相手に対して周方向でほぼ９０度回転させた向きで挿入される。また、この挿入の周方向の向きは、係合部１２２３ｂおよび係合部１２２３ａの形状によって規制される。
【０１７０】
かしめピン１２２１およびかしめ蓋１２２２を挿入した状態においては、図１７（ｂ）に示すように、かしめピン１２２１の脚部１２２１ｂと係合部１２２３ｂとの係止箇所は、かしめ蓋１２２２の脚部１２２２ａによって隠され、かしめ蓋１２２２の脚部１２２２ｂと係合部１２２３ａとの係止箇所は、かしめピン１２２１の脚部１２２１ａによって隠される。
【０１７１】
＜主制御基板２１１と基板収容上ケース１２１３とのかしめの解除＞
次に、図面を参照して、実施例２の主制御基板２１１と基板収容上ケース１２１３とのかしめの解除について説明する。
【０１７２】
図１９は、主制御基板２１１と基板収容上ケース１２１３とのカシメを解除するための破断を説明する斜視図であり、（ａ）は、かしめピン１２２１の破断箇所を説明する図であり、（ｂ）は、かしめピン１２２１の頭部１２２１ｄを破断して脚部１２２１ｂを取り外した状態を示す図であり、（ｃ）は、さらに脚部１２２１ａを取り外した状態を示す図である。
【０１７３】
実施例１ではかしめを解除する際にかしめ蓋２２２の頭部２２２ｄを破断したが、実施例２では、かしめを解除する際にかしめピン１２２１の頭部１２２１ｄを破断する。
【０１７４】
ところで、たとえば実施例１のかしめピン２２１のように主制御基板２１１にきっちりと接しているかしめピンを破断しようとすると、ニッパー等により主制御基板２１１を傷つけてしまう虞がある。そこで、実施例２では、かしめピン１２２１の頭部１２２１ｄに溝１２２１ｅを設け、主制御基板２１１との間に隙間を形成し、そこにニッパー等を挿入可能にしている。
【０１７５】
主制御基板２１１と基板収容上ケース１２１３とのかしめを解除する際には、２つの脚部１２２１ａおよび２つの脚部１２２１ｂの４つそれぞれが別体となるように、かしめピン１２２１の頭部１２２１ｄを破断する。すなわち、溝１２２１ｅにニッパー等を挿入し、この挿入したニッパー等により図１９（ａ）に破線で示した箇所を破断する。したがって、ニッパー等で主制御基板２１１を傷つける虞がない。さらにまた、かしめピン１２２１の頭部１２２１ｄを破断する構成とすれば、主制御基板２１１と基板収容上ケース１２１３の両者を傷つけずに開封することができる場合があり、遊技店に設置された後、点検後に再度、営業する場合など、基板収容ケースごと交換することがなく、かしめピンの交換だけで済むため、交換に係わる遊技点の交換費用を低減させることができ、基板収容ケースは、製造メーカが遊技店から回収した際に、新台などに中古部品として活用できる場合があり、環境に配慮した封止構造であり、環境に配慮した点でも格別な効果を奏する場合がある。
【０１７６】
また、基板収容ケースを開封しても直ちに電子部品にアクセスできないため、不正行為を行おうとする者に対して不正行為を行う時間の長期化を図ることができるとともに、従来の封止解除部が基板収容ケースと一体で透明であり、痕跡が分かり難くかったり、確認する箇所の特定が複雑で発見しにくいといった従来からの問題点をも、かしめピンを確認すれば足りるため、不正のしにくさと不正の早期発見の両者を達成できるという格別な効果を奏する場合がある。
【０１７７】
この破断により４つの脚部１２２１ａ、１２２１ｂを別体とすると、脚部１２２１ｂの係合部１２２３ａへの係止が緩み、脚部１２２１ｂが取り外される（図１９（ｂ）参照）。さらに、脚部１２２１ａも取り外される（図１９（ｃ）参照）。
【０１７８】
以上によって、主制御基板２１１と基板収容上ケース１２１３とのかしめが解除される。なお、実施例２においては、かしめ蓋１２２２は除去してもよいし、除去せずにかしめ解除の痕跡として残してもよい。
【０１７９】
なお、以上説明した本発明は、
１．  遊技に関する制御を行う制御回路を搭載した回路基板と、
前記回路基板の電子部品が載置された実装面から覆う基板収容上ケースと、該回路基板の前記実装面の裏の裏面側から支持する基板収容下ケースと、から成る基板収容ケースと、
を備える遊技台であって、
前記基板収容ケースには、
前記回路基板の前記裏面側から前記基板収容上ケースに配置固定するための基板側係止部材と、該基板側係止部材を覆う基板収容上ケース側係止部材と、をさらに備え、
前記回路基板は、
前記基板側係止部材および前記基板収容上ケース側係止部材のそれぞれを嵌合させて、前記基板収容上ケースに配置固定されるように係止され、該回路基板の配置固定を解除する場合には、前記基板収容上ケース側係止部材を破断させることにより、該基板収容上ケースから分離可能とするよう構成されていることを特徴とする遊技台、としたので、
不正に考慮して、基板収容ケースから基板を取り外す行為を困難としながら、ケース体側を壊しての解除により、基板を傷つけずにかしめ固定の解除が行える。
２．  前記回路基板および前記基板収容上ケースの双方には、
前記基板側係止部材および前記基板収容上ケース側係止部材を挿入し、回転方向を規制する規制形状が施されていることを特徴とする１．に記載の遊技台、としたので、
確実な係止を行うことができ、作業性が向上する。
３．  前記基板収容上ケース側係止部材と前記基板側係止部材とは、
互いに同一の形状で構成され、それぞれの係止片どうしが干渉しないで嵌合する形状で構成されていることを特徴とする１．または２．に記載の遊技台、としたので、
取付け間違い（上下逆など）を無くすことができ、また作業性を向上することができる。さらい部品点数を削減できる。
４．  前記回路基板には、
前記基板側係止部材および前記基板収容上ケース側係止部材を挿入する挿入穴が形成され、
前記基板収容上ケースには、
少なくとも、前記基板側係止部材および前記基板収容上ケース側係止部材を挿入する挿入穴と、一段盛り上がった差込段部と、が形成されていることを特徴とする１．乃至３．のうちのいずれか１項に記載の遊技台。
【０１８０】
基板収容上ケース側からの切断を容易にすることができ、基板側の解除でなく、基板収容上ケース側からの解除を促せて、基板を傷つけることを防げる。
【０１８１】
（付記１）
（付記１−１）
本発明は、
基板収容ケースを複数のケース体で構成し、基板収容ケースに収容した基板を前記複数のケース体のいずれかにかしめ固定した。
［効果］
これにより、本発明は、基板収容ケースから基板を取外す行為が困難となり、不正な基板取外し行為に対する未然防止策となる。
（付記１−２）
本発明は、
かしめ固定の解除は、ケース体の外側に有した解除部（かしめピンとは別体のかしめ蓋でもよいし、かしめピンと一体であってもよい）を壊すことで解除可能となる。
［効果］
これにより、本発明は、ケース体側を壊しての解除により、基板を傷つけずにかしめ固定の解除が行える。すなわち、これは、不正防止を最優先に考慮しつつも、機種変更時などの正当理由での基板取外しへの対応も考慮している。
（付記１−３）
本発明は、
かしめ蓋を有し、該かしめ蓋を壊して解除可能となる。
［効果］
これにより、本発明は、かしめ蓋を壊した後でも、かしめ蓋を新規なものとすれば、再度、基板収容ケースをリサイクル使用できる。
（付記１−４）
本発明は、
解除部を壊してケース体に基板を固定保持している係止ピン（かしめピン）の係止状態（ケース体とかしめピンとの係止）を外すことで解除する。
［効果］
これにより、本発明は、簡素な構成にてかしめ固定が可能である。
（付記１−５）
本発明は、
基板の遊技制御用ＩＣ（たとえば、ＲＯＭ等の電子部品）の実装面をケース体の底面に対向させた状態で、すなわち電子部品２１１ａの実装面を基板収容上ケースに向けて、かしめ固定する。
［効果］
これにより、本発明は、ＲＯＭ交換を困難とし、不正なＲＯＭ交換行為の未然防止策となる。
（付記１−６）
本発明は、
かしめピンあるいはかしめ蓋として、同一の部材をそれぞれの用途に用いることができるようにした。
［効果］
これにより、本発明は、取付け間違い（上下逆など）を無くすことができ、また作業性を向上することができる。さらい部品点数を削減できる。
（付記１−７）
本発明は、
基板とケース体には、前記同一の部材の挿入位置を規制する規制形状を形成した。
［効果］
これにより、本発明は、かしめの確実性を向上することができる。また、かしめの作業性をさらに向上することができる。
（付記１−８）
本発明は、
基板のかしめ構造とは異なるかしめ構造にて基板収容ケースをかしめる。
［効果］
これにより、本発明は、異なるかしめ構造により、基板取外しまでの過程をより一層困難とさせることができるので、さらに不正に対する未然防止策となる。
（付記１−９）
本発明は、
基板のかしめ状態を基板ケースの外部より視認可能に基板ケース体を構成する。たとえば、かしめ側ではないケース体を透明または半透明にしたり、上下のケース体およびかしめ蓋を透明または半透明にしたり、ケース体の一部を透明または半透明にする。
［効果］
これにより、本発明は、基板収容ケースを開封せずに、基板のかしめ状況を確認できる。
【０１８２】
（その他）
本発明は、不正行為に対し、基板ケースを開封した場合であっても直ちに電子部品の実装面にアクセスできないようにするとともに、不正に考慮して、基板収容ケースから基板を取り外す行為の痕跡を分かりやすくした遊技台を提供する。
【０１８３】
本発明において、かしめ蓋は、合成樹脂製の部材でもよいし、封印シールでもよい。封印シールとした場合には、ＩＣタグを内蔵した封印シールを用いることでセキュリティー性をさらに向上することができる。
【０１８４】
また、上述の実施例では、主制御基板を収容する基板収容ケースに本発明を適用した場合を例に説明したが、たとえば副制御基板などの他の回路基板を収容する基板収容ケースにも本発明を適用することができる。
【産業上の利用可能性】
【０１８５】
本発明に係る遊技台は、スロットマシンなどに代表される遊技台に適用することができる。
【符号の説明】
【０１８６】
１００  スロットマシン
１０１  本体
１０２  前面扉
１１０  左リール
１１１  中リール
１１２  右リール
１１３  図柄表示窓
１１４  入賞ライン
１２０  入賞ライン表示ランプ
１２１  遊技開始ランプ
１２３  告知ランプ
１２４  メダル投入ランプ
１２５  貯留枚数表示器
１２６  遊技情報表示器
１２７  払出枚数表示器
１２８  リールパネルランプ
１３０  ベットボタン
１３２  ＭＡＸベットボタン
１３３  メダル返却ボタン
１３４  精算ボタン
１３５  スタートレバー
１３７〜１３９  ストップボタン
１４０  ドアキー孔
１４１  メダル投入口
１５５  メダル払出口
１６１  メダル受皿
１６０  演出装置
【図１】
2011083452.tif 000003
【図２】
2011083452.tif 000004
【図３】
2011083452.tif 000005
【図４】
2011083452.tif 000006
【図５】
2011083452.tif 000007
【図６】
2011083452.tif 000008
【図７】
2011083452.tif 000009
【図８】
2011083452.tif 000010
【図９】
2011083452.tif 000011
【図１０】
2011083452.tif 000012
【図１１】
2011083452.tif 000013
【図１２】
2011083452.tif 000014
【図１３】
2011083452.tif 000015
【図１４】
2011083452.tif 000016
【図１５】
2011083452.tif 000017
【図１６】
2011083452.tif 000018
【図１７】
2011083452.tif 000019
【図１８】
2011083452.tif 000020
【図１９】
2011083452.tif 000021